(57)【要約】【課題】地中深く埋設された水道管などの道管であっても、開閉弁の開閉を容易にできるハンドル装置を提供する。【解決手段】地中に埋設された道管の開閉弁を開閉するためのハンドル装置１において、前記開閉弁の操作部を覆って埋設され、かつ上部に開口装着部２Ａを有する中空支持枠体２と、この中空支持枠体２の開口装着部２Ａに脱着可能に嵌合可能な中空筒状カバー体３と、この中空筒状カバー体３内に収容され、かつ前記操作部を回動可能な棒状体４と、この棒状体４を収容する中空筒状カバー体３の上端開口部３Ａを覆い、かつ前記棒状体４の上端部４Ａに装着可能なキャップ体５とを組み合わせる。【選択図】図１
2008050888.tif 000002
【特許請求の範囲】
【請求項１】
地中に埋設された道管の開閉弁を開閉するためのハンドル装置であって、前記開閉弁の操作部を覆って埋設され、かつ上部に開口装着部を有する中空支持枠体と、この中空支持枠体の開口装着部に脱着可能に嵌合可能な中空筒状カバー体と、この中空筒状カバー体内に収容され、かつ前記操作部を回動可能な棒状体と、この棒状体を収容する中空筒状カバー体の上端開口部を覆い、かつ前記棒状体の上端部に装着可能なキャップ体とを備えるハンドル装置。
【請求項２】
中空支持枠体が、開閉弁を囲う枠体部と、この枠体部の上端から内方に狭まる壁部と、壁部に形成された開口装着部とで構成されている請求項１記載のハンドル装置。
【請求項３】
棒状体が、棒状軸部と、この棒状軸部の下端部から延出し、かつ開閉弁の操作部と嵌合して前記操作部を回動可能な嵌合部とで構成されている請求項１記載のハンドル装置。
【請求項４】
棒状体の棒状軸部の横断面形状が、多角形状である請求項３記載のハンドル装置。
【請求項５】
キャップ体が、棒状体の上端部と嵌合して前記棒状体を回動可能である請求項１記載のハンドル装置。
【請求項６】
中空筒状カバー体と棒状体との間に、前記中空筒状カバー体の内壁と密着可能な外径を有し、かつ棒状体の棒状軸部を挿入して棒状体を装着可能な内径を有するリング状ストッパーが配設されている請求項１記載のハンドル装置。
【請求項７】
棒状体の嵌合部が、棒状軸部の軸径よりも大きく、かつリング状ストッパーから棒状体を抜止め可能である請求項６記載のハンドル装置。
【請求項８】
請求項１記載のハンドル装置と、中空筒状カバー体を収容可能な内径を有し、埋設された中空筒状カバー体の軸方向に沿って打ち込み可能であるとともに、前記中空支持枠体により進入が規制可能な中空ガイドパイプとを組み合わせた交換用セット。
【請求項９】
地中に埋設された道管の開閉弁の操作部に装着され、かつ地中に埋設された請求項１記載のハンドル装置を交換する方法であって、請求項８記載の中空ガイドパイプを打ち込んで、中空筒状カバー体を収容した後、棒状体とともに、中空筒状カバー体を中空支持枠体から脱離させて交換する方法。
【発明の詳細な説明】
【技術分野】
【０００１】
本発明は、地中に埋設される上下水道や農業用水などの道管における開閉弁（仕切弁）の操作部に装着されるハンドル装置に関する。
【背景技術】
【０００２】
上下水道や農業用水に用いられる水道管は、地中２〜５ｍ程度の深さに埋設されている。この水道管には、開閉弁又は止水栓（バルブ）が各所に設けられており、このバルブを開閉することにより、水の流れを調節している。このようなバルブは、地中深くにあるため、地上からバルブまでの間には、図６に示されるように、コンクリートボックスや鋳物ボックスで構成された保護ボックス２１を地中に埋め込んでいる。この保護ボックス２１は、地中で人間がバルブ２２の開閉作業できるスペースを形成するとともに、バルブが土砂で埋もれることを防ぐ役割を有している。しかし、この保護ボックス２１内は、地中深くに埋設される場合もあり、埋設作業が困難であるとともに、地中での作業には危険性も伴い、経済性も低い。さらに、民家が隣接しない地方都市などでは、新道路の建設や農地の地盤改良などに伴って、地面の高さが５０ｃｍ以上、時には１〜２ｍも変動する場合がある。このような場合、従来の保護ボックスでは、地面を掘り起こしてボックス全体を交換しなければならず、その作業性及び経済性は低い。
【０００３】
一方、地下埋設用の散水栓ユニットにおいて、特開２００１−２２０７７８号公報（特許文献１）には、水道栓を地中により深く埋設した場合に、水道栓を開閉するためのハンドルであって、回転軸及び取っ手で構成され、かつ前記回動軸の挿込操作をガイドするためのガイド部材と共に水道栓に装着された散水栓開閉用ハンドルが開示されている。前記ガイド部材は、中空パイプ状であって、その内部に前記回転軸が収納されている。
【０００４】
しかし、この開閉用ハンドルでは、地面の高さが変動した場合など、ハンドルを交換するのが困難である。さらに、地中深く埋設した場合には、土砂が流入するため、ハンドル及びガイド部材を交換するためには、水道管のある位置まで掘削する必要があった。
【特許文献１】特開２００１−２２０７７８号公報（請求項２〜４、段落番号［0019］、図２）
【発明の開示】
【発明が解決しようとする課題】
【０００５】
従って、本発明の目的は、地中深く埋設された道管（水道管など）であっても、開閉弁の開閉が容易であるハンドル装置を提供することにある。
【０００６】
本発明の他の目的は、交換作業を円滑で効率よくできるハンドル装置及びその交換方法を提供することにある。
【課題を解決するための手段】
【０００７】
本発明者らは、前記課題を達成するため鋭意検討した結果、保護ボックスの代わりに、開閉弁の操作部（スピンドルキャップ）を覆うための中空支持枠体と、この中空支持枠体に脱着可能に嵌合できる中空筒状カバー体と、この中空筒状カバー体内に収容され、かつ前記操作部を回動可能な棒状体と、前記棒状体の上端部に装着可能なキャップ体とを備えるハンドル装置を用いることにより、地中深く埋設された道管（水道管など）であっても、開閉弁の開閉が容易であることを見出し、本発明を完成した。
【０００８】
本発明のハンドル装置は、地中に埋設された道管の開閉弁を開閉するためのハンドル装置であって、前記開閉弁の操作部を覆って埋設され、かつ上部に開口装着部を有する中空支持枠体と、この中空支持枠体の開口装着部に脱着可能に嵌合可能な中空筒状カバー体と、この中空筒状カバー体内に収容され、かつ前記操作部を回動可能な棒状体と、この棒状体を収容する中空筒状カバー体の上端開口部を覆い、かつ前記棒状体の上端部に装着可能なキャップ体とを備えていてもよい。このようなハンドル装置を用いると、棒状体が開閉弁の操作部を回動可能であるため、棒状体の上端部を回動させることにより、地中深く埋設された道管（水道管など）における開閉弁であっても、地上近くで開閉可能となる。
【０００９】
前記中空支持枠体は、開閉弁を囲う枠体部と、この枠体部の上端から内方に狭まる壁部と、この壁部に形成された開口装着部とで構成されていてもよい。中空支持枠体が、このような形状を有することにより、中空ガイドパイプを利用した中空筒状カバー体及び棒状体の脱着において、壁部により中空ガイドパイプの進入を規制できるため、中空筒状カバー体及び棒状体の脱着が容易となる。特に、壁部が土圧を受けるため、中空筒状カバー体を引き上げると、中空筒状カバー体が中空支持枠体から脱離し、中空支持枠体は地中に固定されたままである。
【００１０】
前記棒状体は、棒状軸部と、この棒状軸部の下端部から延出し、かつ開閉弁の操作部と嵌合して前記操作部を回動可能な嵌合部とで構成されていてもよい。棒状体の底部に操作部との嵌合部が形成されることにより、開閉弁を容易に回動可能となる。
【００１１】
この棒状体の棒状軸部の横断面形状（軸方向に対して垂直な断面形状）は、多角形状であってもよい。前記キャップ体は、棒状体の上端部と嵌合して前記棒状体を回動可能であってもよい。多角形状の棒状軸部がキャップ体と嵌合することにより、キャップ体を利用した棒状体の回動が容易となる。
【００１２】
さらに、前記中空筒状カバー体と前記棒状体との間には、前記中空筒状カバー体の内壁と密着可能な外径を有し、かつ棒状体の棒状軸部を挿入して棒状体を装着可能な内径を有するリング状ストッパーが配設されていてもよい。このようなリング状ストッパーを中空筒状カバー体と棒状体との間に配設すると、中空筒状カバー体の中空部において、棒状体の略軸芯方向に前記棒状体と中空筒状カバー体とを非接触の状態で固定できる。前記棒状体の嵌合部は、棒状軸部の軸径よりも大きく、かつリング状ストッパーから棒状体を抜止め可能であってもよい。このような大きさの嵌合部を棒状体に形成することにより、棒状体を引き上げても、棒状体がリング状ストッパーから抜けることなく、中空筒状カバー体も中空支持枠体から引き抜くことが可能となる。
【００１３】
本発明には、前記ハンドル装置と、中空筒状カバー体を収容可能な内径を有し、埋設された中空筒状カバー体の軸方向に沿って打ち込み可能であるとともに、前記中空支持枠体により進入が規制可能な中空ガイドパイプとを組み合わせた交換用セットも含まれる。さらに、本発明には、地中に埋設された道管の開閉弁の操作部に装着され、かつ地中に埋設された前記ハンドル装置を交換する方法であって、前記中空ガイドパイプを打ち込んで、中空筒状カバー体を前記中空ガイドパイプで収容した後、棒状体とともに、中空筒状カバー体を中空支持枠体から脱離させて交換する方法も含まれる。本発明では、中空ガイドを利用することにより、地中に埋設されたハンドル装置の交換が容易となる。
【発明の効果】
【００１４】
本発明では、開閉弁の操作部を覆うための中空支持枠体と、この中空支持枠体に脱着可能に嵌合できる中空筒状カバー体と、この中空筒状カバー体内に収容され、かつ前記操作部を回動可能な棒状体と、前記棒状体の上端部に装着可能なキャップ体とを組み合わせることにより、地中深く埋設された水道管などの道管であっても、地上近くで容易に開閉できる。さらに、中空支持枠体を残して、中空筒状カバー体及び棒状体を引き抜くことにより、地面の高さが変動した場合や、メンテナンスの必要が生じた場合であっても、ハンドル装置の交換作業を円滑で効率よくできる。
【発明を実施するための最良の形態】
【００１５】
以下に、添付図面を参照しつつ、本発明を詳細に説明する。図１は本発明のハンドル装置を示す概略部分断面図であり、図２は図１に示すハンドル装置を分解した概略部分断面図であり、図３は図１に示すハンドル装置を開閉弁の操作部（スピンドルキャップ）に装着し地中に埋設した状態の概略断面図であり、図４は図３に示すハンドル装置と開閉弁の操作部との嵌合部分の拡大図であり、図５は、ハンドル装置の交換工程を示す概略模式断面図である。
【００１６】
このハンドル装置１は、上部に開口装着部２Ａを有する中空支持枠体２と、この中空支持枠体２の開口装着部２Ａに脱着可能に嵌合可能な中空筒状カバー体３と、この中空筒状カバー体３内に収容された棒状体４と、この棒状体４を収容する中空筒状カバー体３の上端開口部３Ａを覆うキャップ体５とを備えている。
【００１７】
このハンドル装置１は、中空筒状カバー体３内で、棒状体４を回動させることにより、地中に埋設された水道管９の開閉弁１０を開閉できるため、地上近くで開閉弁１０の開閉が可能となる。
【００１８】
前記中空支持枠体２は、水道管９の開閉弁１０の操作部１１を覆って埋設されており、開閉弁１０を囲う枠体部２Ｃと、この枠体部２Ｃの上端から内方に狭まる壁部２Ｂと、この壁部２Ｂに形成された開口装着部２Ａとで構成されている。この中空支持枠体２も、前記中空筒状カバー体３と同様に断面が円形の筒状である。中空支持枠体２は、通常、塩化ビニル系樹脂などのプラスチックで構成されている。
【００１９】
前記中空筒状カバー体３は、断面が円形の筒状であり、その内径は、棒状体４の嵌合部４Ｃが通過可能な大きさである。中空筒状カバー体３の内径は、上部から下部に亘り略均一である。中空筒状カバー体３の長さは、棒状体４を利用して地上近くで開閉弁１０の開閉可能とするために必要な長さであり、開閉弁１０の埋設された深さに応じて、例えば、１〜５ｍ程度である。中空筒状カバー体３も、通常、塩化ビニル系樹脂などのプラスチックで構成されている。
【００２０】
棒状体４は、棒状軸部４Ｂと、その棒状軸部４Ｂの上部に位置し、かつキャップ体５と嵌合可能な上端部４Ａと、この棒状軸部４Ｂの下端部から延出し、かつ開閉弁１０の操作部１１と嵌合して操作部１１を回動可能な嵌合部４Ｃとで構成されている。棒状軸部４Ｂは、軸方向に対して垂直な断面の形状（横断面形状）が、正方形状である。嵌合部４Ｃの内部は、開閉弁１０の操作部１１の四角柱状凸部１１Ａの形状に対応した凹部（空洞）４Ｄを形成し、操作部１１の凸部１１Ａと嵌合して操作部１１を回動可能な構造となっている。この凹部４Ｄが、操作部１１の凸部１１Ａと嵌合することにより、棒状体４の回動に伴って、操作部１１も回動する。棒状体４は、通常、銅やステンレス合金などの金属で構成されている。
【００２１】
キャップ体５は、四角柱状に形成され、かつキャップ体５を回動するための把持部５Ａと、円柱状に形成され、かつ棒状体４の上端部４Ａと嵌合して装着可能な嵌合部５Ｃと、前記把持部５Ａと前記嵌合部５Ｃとの境界域で嵌合部５Ｃの円周方向に延設されたツバ部５Ｂとで構成されている。詳しくは、嵌合部５Ｃの内部に棒状体４の棒状軸部４Ｂの上端部４Ａの形状に対応した凹部（空洞）５Ｄを有しており、その凹部５Ｄと、断面形状が正方形状である前記棒状軸部４Ｂの上端部４Ａとが嵌合することにより、把持部５Ａを利用したキャップ体５の回動に伴って、棒状体４も回動する構造となっている。なお、図示されていないが、嵌合部５Ｃの側部には、キャップ体５を棒状体４に固定するためのネジ部が形成されている。キャップ体５も、銅やステンレス合金などの金属で構成されている。
【００２２】
中空筒状カバー体３と棒状体４との間において、中空筒状カバー体３の上端内部及び下端側内部に、それぞれ、第１のリング状ストッパー７Ａ及び第２のリング状ストッパー７Ｂが配設されている。これらのリング状ストッパーは、中空筒状カバー体３の内径と略同じ大きさの外径を有し、中空筒状カバー体３の内壁と密着可能であるとともに、棒状体４の棒状軸部４Ｂと略同じ内径を有し、前記棒状体４の棒状軸部４Ｂを挿入して棒状体４を装着可能である。このような構造を有するリング状ストッパー中空筒状カバー体３と棒状体４との間に装着することにより、中空筒状カバー体３の中空部において、棒状体４の略軸芯方向に前記棒状体４と中空筒状カバー体３とを接触することなく、前記中空部の軸芯方向に固定できる。これらのリング状ストッパーは、ＡＢＳ樹脂などの弾性樹脂で構成されている。
【００２３】
さらに、第１のリング状ストッパー７Ａと、第２のリング状ストッパー７Ｂとの間には、断熱材８が充填されている。断熱材８は、中空筒状カバー体３の内径と略同じ大きさの外径を有し、中空筒状カバー体３の内壁と密着するとともに、棒状体４の棒状軸部４Ｂと略同じ内径を有し、前記棒状体４の棒状軸部４Ｂが挿入された状態で、２つのリング状ストッパー７Ａ及び７Ｂによって挟まれて固定されている。この断熱材８は、通常、スチレン系樹脂発泡体などの熱可塑性樹脂発泡体で構成されている。
【００２４】
前記棒状体４の嵌合部４Ｃは、棒状軸部４Ｂの軸径よりも大きく、第２のリング状ストッパー７Ｂから棒状体４を抜止め可能である。すなわち、第２のリング状ストッパー７Ｂの内径は、前記嵌合部４Ｃの外径よりも小さい。そのため、棒状体４を上方に引き上げても、棒状体４が第２のリング状ストッパー７Ｂから抜けることなく、棒状体４の引き上げにより、第２のリング状ストッパー７Ｂ、断熱材８、第１のリング状ストッパー７Ａ及び中空筒状カバー体３も同時に引き上げられ、中空支持枠体２から脱離させる（引き抜く）ことが可能となる。すなわち、中空支持枠体２の壁部２Ｂが土圧を受けて地中に固定されているため、中空筒状カバー体３を引き上げると、中空筒状カバー体３が中空支持枠体２から脱離し、中空支持枠体２は地中に固定されたままである。中空筒状カバー体３を中空支持枠体２から円滑に脱離するためには、中空支持枠体２（特に壁部２Ｂ）を土砂で充分に埋設し、強固に地中に固定するのが有効である。
【００２５】
このような構造を有するハンドル装置１は、図３に示すように、中空支持枠体２が、水道管９の開閉弁１０に装着されるように地中に埋設され、地上近くに設けられたボックス１２にキャップ体５が位置するように埋設される。開閉弁１０は、水道管９の上に形成された円柱状の本体部１０Ｂと、本体部１０Ｂから上方に延出し、本体部１０Ｂよりも径の小さい円柱状の軸部１０Ａとで構成されている。中空支持枠体２の枠体部２Ｃの内径は、開閉弁９の本体部１０Ｂと略同じ外径を有しており、枠体部２Ｃが本体部１０Ｂに嵌合して装着されている。なお、中空支持枠体２から中空筒状カバー体３を円滑に脱離させるために、枠体部２Ｃと本体部１０Ｂとの嵌合の強さを、中空支持枠体２の開口装着部２Ａと中空筒状カバー体３との嵌合の強さよりも大きくしてもよいし、枠体部２Ｃと本体部１０Ｂとをネジなどによって固定してもよい。
【００２６】
また、枠体部２Ｃと開閉弁１０の軸部１０Ａとの間には、ハンドル装置の交換の際などにおいて、開閉弁１０に土砂や水などが進入するのを遮蔽するための遮蔽部材６が配設されている。前記軸部１０Ａには、さらに操作部（スピンドルキャップ）１１が装着されており、操作部１１を回動することにより、開閉弁１０が開閉する構造となっている。棒状体４の嵌合部４Ｃは、この操作部１１と嵌合されており、棒状体４の回動に伴って、操作部１１も回動する構造となっている。
【００２７】
ハンドル装置１は、このような構造を有しているため、キャップ体５を回動させることにより水道管９の開閉弁１０を地上近くで開閉できるだけでなく、中空ガイドパイプ１３を用いて、容易にハンドル装置１を交換できる。中空ガイドパイプ１３は、中空筒状カバー体３の外径よりも大きく、中空支持枠体２の枠体部２Ｃの外径よりも小さい内径を有する筒状部材である。中空ガイドパイプ１３は、このような内径を有するため、埋設された中空筒状カバー体３を収容できるとともに、前記中空支持枠体２の壁部２Ｂにより、それ以上の進入を規制できる。特に、中空支持枠体２の開口装着部２Ａと略同じ内径の中空ガイドパイプ１３を用いると、中空ガイドパイプ１３が中空支持枠体２に安定して装着されるため、中空筒状カバー体及び棒状体の交換が容易となる。ガイドパイプ１３は、通常、銅又はステンレス合金などの金属で構成されている。
【００２８】
この中空ガイドパイプ１３を用いたハンドル装置の交換方法は、まず、図５（Ａ）に示されているように、地中に埋設された水道管９の開閉弁１０にハンドル装置１を装着した状態で、埋設された中空筒状カバー体３の軸方向に沿って、中空筒状カバー体３を覆って又は収容して、上方から中空ガイドパイプ１３を打ち込み、中空支持枠体２に装着させる。
【００２９】
次に、図５（Ｂ）に示されているように、中空ガイドパイプ１３が中空筒状カバー体３をカバーするように地中に配設されたハンドル装置１からキャップ体５のネジ部を緩めてキャップ体５を取り外し、棒状体４の上端部４Ａに設けられた貫通孔（図示せず）にワイヤー１４を通す。
【００３０】
そして、図５（Ｃ）に示されているように、ワイヤー１４を上方に引っ張り上げることにより、棒状体４及び中空筒状カバー体３を中空支持枠体２から脱離させた状態で引き抜くことができる。なお、棒状体４及び中空筒状カバー体３を引き抜く方法は、ワイヤー１４を用いた方法に限定されず、棒状体４自体を直接持ち上げてもよい。その後、高さを変更した新たなハンドル装置などを装着することによりハンドル装置を交換できるが、前記中空ガイドパイプ１３の存在によりその操作は容易である。
【００３１】
本発明では、中空支持枠体２と中空筒状カバー体３とが脱着可能であり、ハンドル装置１を交換する際に、中空支持枠体２が開閉弁１０に装着されたままで、取り外されずに残るため、新たな中空筒状カバー体及び棒状体を中空支持枠体２に容易に装着可能となる。特に、中空ガイドパイプ１３を用いた場合には、中空ガイドパイプ１３が中空支持枠体２に装着されて残存しているため、中空筒状カバー体及び棒状体を進入させるための通路に土砂などが流入することがなく、容易に中空筒状カバー体及び棒状体の装着可能となり、ハンドル装置の交換が容易となる。
【００３２】
本発明のハンドル装置において、中空支持枠体の形状は、中空筒状カバー本体を脱着可能に装着できれば、特に限定されないが、中空筒状カバー体は、通常、中空円筒状であるため、中空支持枠体も、通常、中空円筒状であるが、中空支持枠体の形状に応じて、例えば、中空多角柱状であってもよい。壁部の形状は、特に限定されず、中空ガイドパイプの進入を規制可能な規制部（中空ガイドパイプの下端部と接触する規制部）が形成されればよく、例えば、枠体部の上端から水平方向（枠体部の軸方向に対して直交する方向）に水平面として形成されていてもよく、枠体部の軸方向において、上方にいくにつれて内方向に狭まる傾斜面として形成されていてもよい。枠体部には、遮蔽部材は配設されていなくてもよい。
【００３３】
中空筒状カバー体の形状は、棒状体を収容可能であれば特に限定されないが、通常、中空円筒状であるが、中空多角柱状などであってもよい。中空筒状カバー体は、通常、上部から下部まで均一の内径（外径）を有していてもよいが、例えば、上部から下部に向かって内径が大きく又は小さくなるように傾斜して形成してもよい。
【００３４】
棒状体の形状も、開閉弁の操作部及びキャップ体の嵌合部と嵌合可能であれば、特に限定されず、棒状軸部の、軸方向に対して垂直な断面形状も、正方形状などの四角形状の他、多角形（三角形状、六角形状など）であってもよい。また、嵌合部の形状（外形状）も特に限定されず、四角柱状の他、円柱状などであってもよい。さらに、嵌合部の内部の形状は、開閉弁の操作部の形状に応じて、例えば、操作部が三角柱形状凸部であれば、これに対応した形状となる。
【００３５】
中空筒状カバー体と棒状体との間には、少なくとも中空筒状カバー体下部に配設された第２のリング状ストッパーが形成されているのが好ましく、中空筒状カバー体上部に配設された第１のリング状ストッパーや断熱材は配設されていなくてもよい。さらに、リング状ストッパーは、棒状体及び中空筒状カバー体を同時に中空支持枠体から引き抜き易くする点から、リング状ストッパー（特に第２のリング状ストッパー）を中空筒状カバー体に接着などにより固定してもよい。
【００３６】
キャップ体の把持部の形状は、特に限定されないが、把持し易く、回動容易な点から、四角柱状の他、三角柱などの多角柱状などが好ましい。嵌合部の形状（外形状）は、中空筒状カバー体の形状に対応した形状であるため、通常、円柱状である。嵌合部５Ｃの内部に形成された凹部の形状は、棒状軸部の形状に応じて、その空洞の形状が正方形状の他、三角形状などであってもよい。なお、ツバ部は形成されていなくてもよいが、キャップ体が中空筒状カバー体内部に落下するのを防止する観点から、嵌合部又は把持部の周上に延設されているのが好ましい。
【００３７】
ワイヤーは、棒状体の貫通孔を通過して、棒状体及び中空カバー体を引き上げることができる紐状体であれば、特に限定されないが、耐食性金属などで構成された耐食性紐状体であってもよい。
【産業上の利用可能性】
【００３８】
本発明は、地中に埋設される水道管（上下水道や農業用水など）やガス管などの道管における開閉弁（仕切弁）の操作部に装着され、前記開閉弁の開閉をするためのハンドル装置として利用できる。
【図面の簡単な説明】
【００３９】
【図１】図１は、本発明のハンドル装置を示す概略部分断面図である。
【図２】図２は、図１に示すハンドル装置を分解した概略部分断面図である。
【図３】図３は、図１に示すハンドル装置を開閉弁の操作部に装着し地中に埋設した状態の概略断面図である。
【図４】図４は、図３に示すハンドル装置と開閉弁の操作部との嵌合部分の拡大図である。
【図５】図５は、ハンドル装置の交換工程を示す概略模式断面図である。
【図６】図６は、従来の保護ボックスを利用した水道管及び開閉弁が地中に埋設された状態の概略断面図である。
【符号の説明】
【００４０】
１・・・ハンドル装置
２・・・中空支持枠体
３・・・中空筒状カバー体
４・・・棒状体
５・・・キャップ体
【図１】
2008050888.tif 000003
【図２】
2008050888.tif 000004
【図３】
2008050888.tif 000005
【図４】
2008050888.tif 000006
【図５】
2008050888.tif 000007
【図６】
2008050888.tif 000008